(57)【特許請求の範囲】
【請求項１】
対向する内面に電極を有する一対の基板間にねじれ配向したネマチック液晶を挟持してなる液晶セルと、少なくとも一層の光学的異方性高分子フィルムと、対向する内面に電極を有する一対の基板からなる入力装置と、一対の偏光板とを有し、前記一対の偏光板の間に前記液晶セルと前記光学的異方性高分子フィルムと前記入力装置とが配置されてなる入力機能付き液晶表示素子において、
前記入力装置の一方の基板のリタデーション値Ｒが２５ｎｍよりも大きく、前記リタデーション値Ｒに基づき、前記入力装置に隣接する一方の偏光板の偏光軸と、前記入力装置の一方の基板の光軸方向とがなす角度δが、
【数１】
0003987147.tif 000005
を満たす角度δの範囲内であるように、前記入力装置に隣接する一方の偏光板と前記入力装置の一方の基板とを配置してなる、
ことを特徴とする入力機能付き液晶表示素子。
【請求項２】
請求項１に記載の入力機能付き液晶表示素子を搭載したことを特徴とする電子機器。
【発明の詳細な説明】
【０００１】
【発明の属する技術分野】
本発明は入力機能付き液晶表示素子に関し、さらに、この液晶表示素子を搭載したＯＡ機器、計測機器、携帯用機器等の電子機器に関する。
【０００２】
【従来の技術】
単純マトリックスにおいて大容量で白黒表示ができる液晶表示素子としてスーパーツイステッドネマチック（ＳＴＮ）型液晶表示素子の偏光板と液晶セルの間に色補償用光学的異方性高分子フィルムを備えた液晶表示素子（以後ＦＴＮ型液晶表示素子という）がある。このようなＦＴＮ型液晶表示素子の構造は、特公平３−５０２４９号公報の６欄４１行〜７欄５行及び図１に記載されている。
近年、小型の携帯情報端末装置の多くは低消費電力であることが要求されてきているため液晶表示素子が多く使われ、特に白黒表示が要求されるものについてはＦＴＮ型液晶表示素子が用いられている。また、装置の小型化を図るために、液晶表示素子の上側に入力装置を配置した構造の入力機能付き液晶表示素子が増えてきている。
【０００３】
ここでＦＴＮ型液晶表示素子を用いた従来の入力機能付き液晶表示素子の構成を図４に示す。液晶セル４０５には上側電極４０７ａが形成された上側電極基板４０６ａと下側電極４０７ｂが形成された下側電極基板４０６ｂがスペーサー４０８を介して対向し液晶４０９が充填されている。入力装置４０１は上側電極４０３ａが形成された上側電極基板４０２ａと下側電極４０３ｂが形成された下側電極基板４０２ｂがスペーサー４０４を介して対向し通常は上下電極が接触しないようになっている。液晶セル４０５の上側電極基板４０６ａの上側には光学的異方性高分子フィルム（以後位相差板と呼ぶ）４１０が、さらにその上側には上側偏光板４１１がある。また、液晶セル４０５の下側電極基板４０６ｂの下側には下側偏光板４１２と反射板４１３があり、入力装置４０１の下側電極基板４０２ｂと上側偏光板４１１はニュートンリングが発生しない程度の間隔で保たれている。
【０００４】
【発明が解決しようとする課題】
しかし、この様な従来の入力機能付き液晶表示素子は液晶表示素子表面での反射や入力装置の内面での反射が大きいために表示が見づらくなり、入力機能を付けない液晶表示素子よりもコントラストが著しく低下するという問題を有していた。そこで、本発明は従来のこの様な問題点を解決するため、入力装置と表示素子の各部材の構成や配置を工夫することにより、入力機能を付加しても十分なコントラストが得られる入力機能付き液晶表示素子を提供することを目的とする。また、本発明は入力機能付き液晶表示素子を搭載することによりコントラストが低下するという問題を解消した電子機器を提供することを目的とする。
【０００５】
【課題を解決するための手段】
本発明による入力昨日月液晶表示装置は、対向する内面に電極を有する一対の基板間にねじれ配向したネマチック液晶を挟持してなる液晶セルと、少なくとも一層の光学的異方性高分子フィルムと、対向する内面に電極を有する一対の基板からなる入力装置と、一対の偏光板とを有し、前記一対の偏光板の間に前記液晶セルと前記光学的異方性高分子フィルムと前記入力装置とが配置されてなる入力機能付き液晶表示素子において、前記入力装置の一方の基板のリタデーション値Ｒが２５ｎｍよりも大きく、前記リタデーション値Ｒに基づき、前記入力装置に隣接する一方の偏光板の偏光軸と、前記入力装置の一方の基板の光軸方向とがなす角度δが、
【数１】
0003987147.tif 000002
を満たす角度δの範囲内であるように、前記入力装置に隣接する一方の偏光板と前記入力装置の一方の基板とを配置してなる、ことを特徴とする。
【０００６】
【数３】
0003987147.tif 000003
【０００８】
上記構成によれば、光学的異方体である前記入力用電極基板のリタデーションの影響による表示品質の低下を防げるという効果を有する。
【００２５】
本発明による電子機器は、上記の入力機能付き液晶表示素子を表示素子として搭載したことを特徴とする。
【００２６】
上記構成によれば、入力機能が付いても十分なコントラストが得られるという効果を有する。
【００２７】
【発明の実施の形態】
本発明の液晶表示素子の実施例のひとつの構成を図１に示す。液晶セル５には上側電極７ａが形成された上側電極基板（基板という）６ａと下側電極７ｂが形成された下側電極基板（基板という）６ｂがスペーサー８を介して対向し液晶９が充填されている。入力装置１は上側電極３ａが形成された上側電極基板（入力装置の基板、もしくは単に基板という）２ａと下側電極３ｂが形成された下側電極基板（入力装置の基板もしくは基板という）２ｂがスペーサー４を介して対向し通常は上下電極が接触しないようになっている。
【００２８】
入力装置１の上側電極基板２ａの上側に上側偏光板１１が粘着層を介して貼着されている。この液晶セル５の上側電極基板６ａの上側には位相差板１０が粘着層を介して貼着されている。また、液晶セル５の下側電極基板６ｂの下側には反射板１３付き下側偏光板１２が粘着層を介して貼着されている。入力装置１の下側電極基板２ｂと液晶セルの上側電極基板６ａに貼り付けた位相差板１０はニュートンリングが発生しない程度の間隔で保たれている。
【００２９】
図２に、本発明の液晶表示素子での液晶分子の配向方向、位相差板の遅相軸の方向、偏光板の偏光軸方向などの各軸の方向を示す。
【００３０】
αは位相差板の遅相軸の方向２１０と液晶セルの下側電極基板６ｂの内面に接する液晶分子の配向方向２０６ｂとのなす角度、βは上側偏光板１１の偏光軸方向２１１と液晶セルの下側電極基板６ｂの内面に接する液晶分子の配向方向２０６ｂとのなす角度、γは下側偏光板１２の偏光軸方向２１２と液晶セルの下側電極基板６ｂの内面に接する液晶分子の配向方向２０６ｂとのなす角度、δ１は入力装置の上側電極基板２ａの光軸の方向２０２ａと上側偏光板１１の偏光軸方向２１１とのなす狭角の角度、δ２は入力装置の下側電極基板２ｂの光軸の方向２０２ｂと上側偏光板１１の偏光軸方向２１１とのなす狭角の角度、θは液晶セルの上側電極基板６ａの内面に接する液晶分子の配向方向２０６ａと液晶セルの下側電極基板６ｂの内面に接する液晶分子の配向方向２０６ｂと間でねじれ配向している液晶のねじれ角度。また、α、β、γ、θの方向は図２に示す方向（反時計回りの方向）を正とする。
【００３１】
入力装置の基板に用いる材料はガラス以外多少なりともリタデーションを持っている。このリタデーションを小さくすることは可能であるが０に近づける程コストがかかる。またリタデーションの大きさや光軸の方向にもバラツキがある。そのためある程度リタデーションがあってもその大きさや光軸の方向を調整することにより使用できればコストを抑えることが可能となる。以下にその実施例を記す。
【００３２】
[実施例１]
図１において上側偏光板１１は日東電工製ＮＰＦ−Ｇ１２２５ＤＵ、入力装置１の上側電極基板２ａは厚さ１００μｍでリタデーションが３０ｎｍの一軸延伸のポリエーテルサルホンのフィルム、入力装置１の下側電極基板２ｂは厚さ０．７ｍｍのガラスを用いた。この上側偏光板１１は粘着層を介して入力装置１の上側電極基板２ａに貼着した。
【００３３】
位相差板１０は厚さ１２０μｍでリタデーションが６００ｎｍの一軸延伸のポリカーボネートフィルムを用い、液晶セルの上側電極基板６ａに粘着層を介して貼着した。液晶セルの上下の電極基板６ａ，６ｂは厚さ０．７ｍｍのガラスを用いた。下側偏光板１２と反射板１３として日東電工製ＮＰＦーＦ３２２５Ｍを用いこれも粘着層を介して液晶セルの下側電極基板に貼着した。また、入力装置１と液晶セル５の間に幅３ｍｍ高さ０．５ｍｍのシリコンゴムを適当な長さにしスペーサーとして置いた。
【００３４】
図２においてαを２０度、βを１７０度、γを５０度、θを２４０度とした。さらに屈折率異方性Δｎが０．１３２であるネマチック液晶を液晶層の層厚ｄが６．３μｍとなる液晶セルに充填し、液晶の屈折率異方性Δｎと液晶層厚ｄの積Δｎ・ｄを０．８３μｍとした。また、液晶分子のねじれ角が２４０度で安定するように適量の光学活性剤を添加して、電圧無印加時に明るく電圧印加時に暗くなる白黒表示の入力機能付き液晶表示素子とした。このとき図２のδ１を０度から３０度までの範囲あるいは６０度から９０度までの範囲にしたところ電圧無印加時に淡い緑色や淡い黄色にわずかに着色する程度で見栄えもコントラストも従来より良い。さらに図２のδ１を０度から１５度までの範囲あるいは７５度から９０度までの範囲にしたところ電圧無印加時の淡い着色もなくさらに見栄えが良くなる。一方、δ１を３０度から６０度までの範囲にした場合は電圧無印加時の着色が強くなりコントラストも悪くなり見栄えも良くない。
【００３５】
比較例として図４に示す従来の入力機能付き液晶表示素子を用いた。図４において、上側偏光板４１１は日東電工製ＮＰＦ−Ｇ１２２５ＤＵ、入力装置４０１の上側電極基板４０２ａは厚さ１２０μｍでリタデーションが１μｍ以上のポリエチレンテレフタレートのフィルム、入力装置４０１の下側電極基板４０２ｂは厚さ０．７ｍｍのガラスを用いた。位相差板４１０は厚さ１２０μｍでリタデーションガ６００ｎｍの一軸延伸のポリカーボネートフィルムを用い、液晶セルの上下の電極基板４０６ａ、４０６ｂは厚さを０．７ｍｍのガラスを用いた。
【００３６】
下側偏光板４１２と反射板４１３として日東電工製ＮＰＦーＦ３２０５Ｍを用いた。また、入力装置４０１と液晶セル４０５の間に幅３ｍｍ高さ０．５ｍｍのシリコンゴムを適当な長さにしスペーサーとして置いた。
【００３７】
図４に示す従来の入力装置付き液晶表示素子も液晶分子の配向方向、位相差板の遅相軸の方向及び偏光板の偏光軸方向は図２の定義で表すことができる。図２においてαを２０度、βを１７０度、γを５０度、θを２４０度とした。さらに屈折率異方性Δｎが０．１３２であるネマチック液晶を液晶層の層厚ｄが６．３μｍとなる液晶セルに充填し、液晶の屈折率異方性Δｎと液晶層厚ｄの積Δｎ・ｄを０．８３μｍとした。このとき液晶分子のねじれ角が２４０度で安定するように適量の光学活性剤を添加した。その結果これも電圧無印加時に明るく電圧印加時に暗くなる入力機能付き液晶表示素子となった。
【００３８】
本実施例と比較例について、Ｄｕｔｙ比が１／２４０の時分割駆動した時のオン状態（暗い）とオフ状態（明るい）の明るさとコントラスト（オフ状態の明るさ／オン状態の明るさ）を表１に示す。
【００３９】
【表１】
0003987147.tif 000004
【００４０】
実施例１と比較例を比較して分かるように、本実施例は比較例よりオフ状態の明るさはやや小さいがコントラストが良くなっている。比較例に用いた従来の入力機能装置付き液晶表示素子は、液晶セルの表面や入力装置の内面での反射光（表示品質を低下させる）が強い。この反射光が液晶表示素子のオフ状態とオン状態の両方に重なるため、オフ状態の明るさはその分明るくなるがコントラストは低下する。一方、本実施例は入力装置の上側に偏光板を備えているために、液晶セルの表面や入力装置の内面での反射光が従来のそれよりも小さくなっている。そのため、本実施例は比較例よりも明らかにコントラストが良くなっている。オフ状態の明るさは比較例より小さくなっているが、これは液晶セルの表面や入力装置の内面での反射光が比較例よりも小さくなったためである。従って、不要な反射光が無くなった分本実施例の方が見栄えははるかに良くなっている。
【００４１】
なお、位相差板を複数枚設けることによって液晶セルの着色を更に解消することができる。複数枚の位相差板を配置する場合、液晶セルの一方の基板側のみに配置してもよく、また液晶セルの両側に位相差板を配置しても良い。
【００４２】
〔実施例２〕
実施例１の入力装置１の上側電極基板２ａに厚さが１００μｍでリタデーションが５０ｎｍのポリエーテルサルフォンのフィルムを用いた。このとき図２のδ１を０度から２０度までの範囲あるいは７０度から９０度までの範囲にしたところ電圧無印加時に淡い緑色や淡い黄色にわずかに着色する程度で見栄えもコントラストも従来より良い。さらに図２のδ１を０度から１０度までの範囲あるいは８０度から９０度までの範囲にしたところ電圧無印加時の淡い着色もなくさらに見栄えが良くなる。一方、δ１を２０度から７０度までの範囲にした場合は電圧無印加時の着色が強くなりコントラストも悪くなり見栄えも良くない。
【００４３】
〔実施例３〕
実施例１の入力装置１の上側電極基板２ａにポリエーテルサルフォンではなく厚さが１２０μｍでリタデーションが８０ｎｍのポリカーボネートのフィルムを用いた。このとき図２のδ１を０度から１５度までの範囲あるいは７５度から９０度までの範囲にしたところ電圧無印加時に淡い緑色や淡い黄色にわずかに着色する程度で見栄えもコントラストも従来より良い。一方、δ１を１５度から７５度までの範囲にした場合は電圧無印加時の着色が強くなりコントラストも悪くなり見栄えも良くない。
【００４４】
[実施例４]
本発明の実施例のもうひとつの構成を図３に示す。液晶セル３０５には上側電極３０７ａが形成された上側電極基板３０６ａと下側電極３０７ｂが形成された下側電極基板３０６ｂがスペーサー３０８を介して対向し液晶３０９が充填されている。入力装置３０１は上側電極３０３ａが形成された上側電極基板３０２ａと下側電極３０３ｂが形成された下側電極基板３０２ｂがスペーサー３０４を介して対向し通常は上下電極が接触しないようになっている。入力装置３０１の上側電極基板３０２ａの上側に上側偏光板３１１が粘着層を介して貼着されている。この液晶セル３０５の下側電極基板３０６ｂの下側には光学的異方性高分子フィルム３１０（以後位相差板と呼ぶ）が粘着層を介して貼着されている。また、位相差板３１０の下側には反射板３１３付き下側偏光板３１２が粘着層を介して貼着されている。
【００４５】
図３において、上側偏光板３１１は日東電工製ＮＰＦ−Ｇ１２２５ＤＵ、入力装置３０１の上側電極基板３０２ａは厚さ１００μｍでリタデーションが５０ｎｍのポリエーテルサルホンのフィルム、入力装置３０１の下側電極基板は厚さ０．７ｍｍのガラスを用いた。位相差板３１０は厚さ１２０μｍでリタデーションが６００ｎｍの一軸延伸のポリカーボネートフィルムとした。液晶セルの上下の電極基板３０６ａ，３０６ｂは厚さ０．７ｍｍのガラスを用いた。
【００４６】
下側偏光板３１２と反射板３１３として日東電工製ＮＰＦーＦ３２２５Ｍを用いた。さらに、液晶セル、位相差板、下側偏光板は粘着層を介して貼着した。また、入力装置３０１と液晶セル３０５の間に幅３ｍｍ高さ０．５ｍｍのシリコンゴムを適当な長さにしスペーサーとして置いた。
【００４７】
そして図２におけるαを１００度、βを７０度、γを１３０度、θを２４０度とした。さらに屈折率異方性Δｎが０．１３２であるネマチック液晶を液晶層の層厚ｄが６．３μｍとなる液晶セルに充填し、液晶の屈折率異方性Δｎと液晶層厚ｄの積Δｎ・ｄを０．８３μｍとした。このとき液晶分子のねじれ角が２４０度で安定するように適量の光学活性剤を添加した。
【００４８】
このとき図２のδ１を０度から２０度までの範囲あるいは７０度から９０度までの範囲にしたところ電圧無印加時に淡い緑色や淡い黄色にわずかに着色する程度で見栄えもコントラストも従来より良い。さらに図２のδ１を０度から１０度までの範囲あるいは８０度から９０度までの範囲にしたところ電圧無印加時の淡い着色もなくさらに見栄えが良くなる。一方、δ１を２０度から７０度までの範囲にした場合は電圧無印加時の着色が強くなりコントラストも悪くなり見栄えも良くない。
【００４９】
反射型の表示素子ではその構造中に空気層があると、その空気層に接する表面での反射光が大きくなり無視できないレベルになることがある。本発明のようなＦＴＮ型液晶表示素子を用いた場合では、位相差板の位置と空気層の位置により、位相差板と液晶層を通った光の他に、位相差板のみあるいは液晶層のみを通った光が生じる。液晶層と位相差板はどちらも光学的に異方体であるから偏光板が外側にある本発明の構造では、位相差板のみあるいは液晶層のみを通った光は本来の表示色とは異なったそれぞれ固有の着色をする。
【００５０】
位相差板が液晶セルの上側で入力装置と液晶セルの間、上側偏光板と入力装置との間、あるいは入力装置の内部等にあり、液晶セルとの間に空気層がある場合について考える。このときは、位相差板と液晶層を通過した光による本来の表示色に、空気層と接している面での反射により液晶層を通らず位相差板のみを通った着色光が加わるため本来の白黒の表示色ではなくなり良好な表示にはならない。また、位相差板が液晶セルと下側偏光板の間にあり、液晶セルと位相差板の間に空気層がある場合は、位相差板と液晶層を通過した光による表示色に、空気層と接している面で反射し位相差板を通らず液晶層のみを通った着色光が加わるため本来の白黒の表示色ではなくなり良好な表示にはならない。このような、表面反射による不要な着色を防ぐためには、液晶層と位相差板の間に空気層を置かず、空気層に対して液晶層と位相差板を同じ側に置くようにする必要がある。
【００５１】
〔実施例５〕
実施例３の入力装置３０１の上側電極基板３０２ａに厚さが１００μｍでリタデーションが２０ｎｍのポリエーテルサルフォンのフィルムを用いた。入力装置３０１の下側電極基板は厚さ１．０ｍｍでリタデーションが５０ｎｍのポリメチルメタアクリレートの板を用いた。このとき図２のδ１を０度から２０度までの範囲あるいは７０度から９０度までの範囲、δ２を０度から１５度までの範囲あるいは７５度から９０度までの範囲にしたところ電圧無印加時に淡い緑色や淡い黄色にわずかに着色する程度で見栄えもコントラストも従来より良くなった。一方、δ１を２０度から７０度までの範囲、δ２を１５度から７５度までの範囲にした場合は電圧無印加時の着色が強くなりコントラストも悪くなり見栄えが良くない。入力装置３０１の下側電極基板はポリメチルメタアクリレートのほかノルボルネン系樹脂を用いても同様の効果があった。
【００５２】
〔実施例６〕
実施例１の位相差板１０に一軸延伸のポリカーボネートフィルムではなくねじれ配向したアクリル系液晶性高分子フィルムを用いた。この液晶性高分子の屈折率異方性Δｎと液晶性高分子層厚ｄの積Δｎ・ｄを０．７２μｍとした。さらに、液晶性高分子のねじれ角を１５０度、ねじれの向きを液晶セルの液晶とは反対方向にした。このとき、図２において２１０を位相差板で液晶セルに接する側の分子の光軸の方向としたとき、αを６０度、βを７５度、γを４５度、θを２２０度とした。するとこれも電圧無印加時に明るく電圧印加時に暗くなる入力機能付き液晶表示素子となった。その結果、本実施例の場合も前記実施例と同様に従来よりコントラスト比が良く見栄えも良好となった。
【００５３】
〔実施例７〕
実施例１から実施例６において上側偏光板１１や３１１に表面にノングレア処理してある日東電工製性のＮＰＦ−Ｇ１２２５ＤＵＡＧ３０を用いた。その結果、偏光板表面での正反射による像の映り込みが無く見やすい表示となった。また、上側偏光板の表面にアンチリフレクション処理を施したり、アンチリフレクション処理を施したフィルムを貼着することでも像の映り込みを小さくすることができた。
【００５４】
〔実施例８〕
実施例１から実施例５において下側偏光板と反射板に半透過型反射板付き偏光板である日東電工製のＮＰＦ−Ｆ４２０５Ｐ３を用いた。さらに反射板１３や３１３の下にバックライトを設置した。その結果、バックライトを点灯する事で暗い環境でも使用できるようになった。
【００５５】
〔実施例９〕
実施例１から実施例６の液晶表示素子を電子手帳や携帯電話の表示素子として搭載したところコントラスト比が高く、見やすい白黒表示となった。またコントラスト比が高いことから表示容量を従来よりも大きくすることができた。そのためより多くの情報を表示できるようになり従来より使いやすい携帯用電子機器が可能となった。
【００５６】
本発明では入力装置の上下の電極基板としてポリカーボネートやポリサルホン以外にポリサルホン、ポリビニルアルコール、ポリアリレート、ポリスチレン等を用いても同様の効果がある。
【００５７】
【発明の効果】
以上述べたように、本発明の液晶表示素子によれば、一対の入力用電極基板からなる入力装置と液晶セルを挟んで両側に偏光板が配置し、液晶セルと光学的異方性高分子フィルムの間に空気層を介さない構造とし、入力装置の基板の光軸の方向とリタデーションの大きさを調整したので、白黒表示に優れコントラストが良く見やすい入力機能付き液晶表示素子が得られる。また本発明の電子機器は入力装置と表示素子の各部材の構成や配置を工夫した入力機能付き液晶表示素子を搭載したので十分なコントラストが確保できる。
【図面の簡単な説明】
【図１】本発明の一実施例の入力機能付き液晶表示素子の構造図。
【図２】本発明の一実施例の入力機能付き液晶表示素子の液晶分子の方向、偏光板の偏光軸の方向等を示す図。
【図３】本発明の一実施例の入力機能付き液晶表示素子の構造図。
【図４】従来の入力機能付き液晶表示素子の構造図。
【符号の簡単な説明】
１  ．入力装置
２ａ．上側電極基板
２ｂ．下側電極基板
３ａ．上側電極
３ｂ．下側電極
４  ．スペーサー
５  ．液晶セル
６ａ．上側電極基板
６ｂ．下側電極基板
７ａ．上側電極
７ｂ．下側電極
８  ．スペーサー
９  ．液晶
１０  ．光学的異方性高分子フィルム（位相差板）
１１  ．上側偏光板
１２  ．下側偏光板
１３  ．反射板
２０２ａ．入力装置の上側電極基板の光軸の方向
２０２ｂ．入力装置の下側電極基板の光軸の方向
２０６ａ．上側電極基板の内面に接する液晶分子の配向方向
２０６ｂ．下側電極基板の内面に接する液晶分子の配向方向
２１０  ．位相差板の遅相軸の方向
２１１  ．上側偏光板の偏光軸の方向
２１２  ．下側偏光板の偏光軸の方向
３０１  ．入力装置
３０２ａ．上側電極基板
３０２ｂ．下側電極基板
３０３ａ．上側電極
３０３ｂ．下側電極
３０４  ．スペーサー
３０５  ．液晶セル
３０６ａ．上側電極基板
３０６ｂ．下側電極基板
３０７ａ．上側電極
３０７ｂ．下側電極
３０８  ．スペーサー
３０９  ．液晶
３１０  ．光学的異方性高分子フィルム（位相差板）
３１１  ．上側偏光板
３１２  ．下側偏光板
３１３  ．反射板
４０１  ．入力装置
４０２ａ．上側電極基板
４０２ｂ．下側電極基板
４０３ａ．上側電極
４０３ｂ．下側電極
４０４  ．スペーサー
４０５  ．液晶セル
４０６ａ．上側電極基板
４０６ｂ．下側電極基板
４０７ａ．上側電極
４０７ｂ．下側電極
４０８  ．スペーサー
４０９  ．液晶
４１０  ．光学的異方性高分子フィルム（位相差板）
４１１  ．上側偏光板
４１２  ．下側偏光板
４１３  ．反射板
α  ．位相差板の遅相軸の方向と液晶セルの下側電極基板の内面に接する液晶分子の配向方向とのなす角度
β  ．上側偏光板の偏光軸方向と液晶セルの下側電極基板の内面に接する液晶分子の配向方向とのなす角度
γ  ．下側偏光板の偏光軸方向と液晶セルの下側電極基板の内面に接する液晶分子の配向方向とのなす角度
θ  ．液晶セルの上側電極基板と液晶セルの下側電極基板の間にねじれ配向している液晶のねじれ角度
δ１  ．入力装置の上側電極基板の光軸の方向と上側偏光板の偏光軸方向とのなす狭角の角度
δ２  ．入力装置の下側電極基板の光軸の方向と上側偏光板の偏光軸方向とのなす狭角の角度
【図１】
0003987147.tif 000006
【図２】
0003987147.tif 000007
【図３】
0003987147.tif 000008
【図４】
0003987147.tif 000009